(57)【要約】【課題】試作品の注文処理を円滑に行える環境を提供する。【解決手段】試作品の注文書を記憶する注文書記憶手段１１と、仕入先端末２００から注文書の送信要求を受け付ける注文書送信要求受付手段１２と、注文書記憶手段１１を参照して、注文書送信要求受付手段１２が受け付けた要求に応じた試作品の注文書を読み出す注文書読出手段１３と、注文書読出手段１３が読み出した注文書を仕入先端末２００に送信する注文書送信手段１４とを備え、上記試作品の注文書は、当該試作品に関する試作品図面データとの関連付けが設定されている。【選択図】  図１
2004152220.tif 000002
【特許請求の範囲】
【請求項１】
試作品の注文書を記憶する注文書記憶手段と、
仕入先端末から、注文書の送信要求を受け付ける注文書送信要求受付手段と、
前記注文書記憶手段を参照して、前記注文書送信要求受付手段が受け付けた要求に応じた試作品の注文書を読み出す注文書読出手段と、
前記注文書読出手段が読み出した注文書を前記仕入先端末に送信する注文書送信手段とを備え、
前記試作品の注文書は、当該試作品に関する試作品図面データとの関連付けが設定されていることを特徴とする試作注文処理システム。
【請求項２】
前記試作品図面データは、複数の異なるファイル形式を有することを特徴とする請求項１記載の試作注文処理システム。
【請求項３】
請求項１記載の試作注文処理システムにおいて、
前記試作品の注文書は、当該試作品を納入するための納期条件を含むものであり、
前記納期条件を含む注文書を受信した仕入先端末から、当該納期条件に対する納期回答を受け付ける納期回答受付手段と、
前記納期条件を参照して、前記納期回答受付手段が受け付けた納期回答が当該納期条件と適合するかを判定する納期条件適合性判定手段と、
前記納期条件適合性判定手段における判定の結果を注文者側端末に連絡する判定結果連絡手段と、
を備えたことを特徴とする試作注文処理システム。
【請求項４】
請求項１記載の試作注文処理システムにおいて、
試作品を掲載した目録を記憶する試作品掲載目録記憶手段と、
前記試作品図面データを記憶する試作品図面データ記憶手段と、
前記目録に掲載された試作品が、前記試作品図面データ記憶手段が記憶する試作品図面データに係る試作品と一致するかを照合する試作品承認手段と、
前記試作品承認手段における照合が一致したことを条件に、前記目録に掲載された試作品の注文書を前記注文書記憶手段に登録する試作注文許可手段と、
を備えたことを特徴とする試作注文処理システム。
【請求項５】
請求項４記載の試作注文処理システムにおいて、
前記試作注文許可手段は、前記試作品の注文書を登録するに際し、前記試作品図面データ記憶手段を参照して、前記試作品の注文書に、当該試作品に関する前記試作品図面データとの関連付けを設定する図面データ設定機能を備えたことを特徴とする試作注文処理システム。
【請求項６】
請求項３記載の試作注文処理システムにおいて、
前記注文書記憶手段が記憶する納期条件には、試作品の納期とその納期に納入する注文数量とが含まれるものであり、前記納期回答受付手段が受け付ける納期回答には、前記納期条件の納期内に納入可能な試作品の納入数量が分納時期ごとに含まれるものであり、
前記納期条件適合性判定手段は、前記納期回答受付手段が前記納入数量を前記分納時期ごとに受け付けると、前記各分納時期の納入数量と前記納期条件の注文数量とに基づき、試作品の注文残数を算出し、
前記判定結果連絡手段は、前記納期条件適合性判定手段が算出した注文残数があるごとに、当該各注文残数と、各注文残数分の試作品を納入する時期を入力するための各入力欄とを前記仕入先端末に出力することを特徴とする試作品注文処理システム。
【発明の詳細な説明】
【０００１】
【発明の属する技術分野】
本発明は、試作注文処理システムに係り、特に、試作品の注文書と、当該試作品に関する図面データとを取り扱う試作注文処理システムに関する。
【０００２】
【従来の技術】
近年、試作品の注文が取引上広く行われている。試作品の注文は、一般的に次のような手順でおこなわれる。すなわち試作品の注文者が、試作品の注文書とその試作品に関する図面を仕入先に送付し、その後、上記試作品の納期回答を必要に応じて仕入先に確認する。
【０００３】
従来、試作品の注文書とその試作品に関する図面を送付する方法として、注文書と図面をそれぞれ別個に送付する方法が採用されていた。たとえば、注文書についてはファクシミリで送付し、図面については郵便や、ファクシミリ、メールで送付するといった方法であった。また、試作品の納期回答を確認する方法として、例えば電話で確認する方法が採用されていた。尚、記載すべき先行技術文献情報はない。
【０００４】
【発明が解決しようとする課題】
しかし、従来における環境の下において、上述した注文書とその注文書に関する図面を送付する方法では、注文書と図面を仕入先がそれぞれ別個に入手することとなり、例えば試作品の制作開始時期が遅れる場合など、試作品を仕入先が早期に納入できない場合があった。
【０００５】
また、上述した試作品の納期回答を確認する方法でも、注文者が各仕入先と個々に連絡を取っていたので、注文者が納期回答を把握できない場合もあり、その結果、注文者と仕入先の間で想定される試作品の納期内容に食い違いが生じる場合があった。
【０００６】
このように、従来における注文処理によると、試作品の注文処理を円滑に行えないという不都合があった。
【０００７】
【発明の目的】
そこで、本発明は、上述した従来における不都合を改善し、試作品の注文処理を円滑に行える環境を提供する試作注文処理システムを提供することを、その目的とする。
【０００８】
【課題を解決するための手段】
上記課題を解決するため、請求項１記載の発明は、試作品の注文書を記憶する注文書記憶手段と、仕入先端末から、注文書の送信要求を受け付ける注文書送信要求受付手段と、上記注文書記憶手段を参照して、上記注文書送信要求受付手段が受け付けた要求に応じた試作品の注文書を読み出す注文書読出手段と、上記注文書読出手段が読み出した注文書を上記仕入先端末に送信する注文書送信手段とを備え、上記試作品の注文書は、当該試作品に関する試作品図面データとの関連付けが設定されている。
【０００９】
請求項２記載の発明は、請求項１記載の試作注文処理システムにおいて、上記試作品図面データは、複数の異なるファイル形式を有する。
【００１０】
請求項３記載の発明は、請求項１記載の試作注文処理システムにおいて、上記試作品の注文書は、当該試作品を納入するための納期条件を含むものであり、上記納期条件を含む注文書を受信した仕入先端末から、当該納期条件に対する納期回答を受け付ける納期回答受付手段と、上記納期条件を参照して、上記納期回答受付手段が受け付けた納期回答が当該納期条件と適合するかを判定する納期条件適合性判定手段と、上記納期条件適合性判定手段における判定の結果を注文者側端末に連絡する判定結果連絡手段とを備える。
【００１１】
請求項４記載の発明は、請求項１記載の試作注文処理システムにおいて、試作品を掲載した目録を記憶する試作品掲載目録記憶手段と、上記試作品図面データを記憶する試作品図面データ記憶手段と、上記目録に掲載された試作品が、上記試作品図面データ記憶手段が記憶する試作品図面データに係る試作品と一致するかを照合する試作品承認手段と、上記試作品承認手段における照合が一致したことを条件に、上記目録に掲載された試作品の注文書を上記注文書記憶手段に登録する試作注文許可手段とを備える。
【００１２】
請求項５記載の発明は、請求項４記載の試作注文処理システムにおいて、上記試作注文許可手段は、上記試作品の注文書を登録するに際し、上記試作品図面データ記憶手段を参照して、上記試作品の注文書に、当該試作品に関する上記試作品図面データとの関連付けを設定する図面データ設定機能を備える。
【００１３】
請求項６記載の発明は、請求項３記載の試作注文処理システムにおいて、上記注文書記憶手段が記憶する納期条件には、試作品の納期とその納期に納入する注文数量とが含まれるものであり、上記納期回答受付手段が受け付ける納期回答には、上記納期条件の納期内に納入可能な試作品の納入数量が分納時期ごとに含まれるものであり、上記納期条件適合性判定手段は、上記納期回答受付手段が上記納入数量を上記分納時期ごとに受け付けると、上記各分納時期の納入数量と上記納期条件の注文数量とに基づき、試作品の注文残数を算出し、上記判定結果連絡手段は、上記納期条件適合性判定手段が算出した注文残数があるごとに、当該各注文残数と、各注文残数分の試作品を納入する時期を入力するための各入力欄とを上記仕入先端末に出力する。
【００１４】
これらにより前述した目的を達成するものである。
【００１５】
【発明の実施の形態】
【００１６】
以下、本発明である試作注文処理システムの実施形態を図１乃至図９に基づいて説明する。
【００１７】
図１は、試作注文処理システムの機能を示す機能ブロック図である。図１に示すように、試作注文処理システム１００は、試作品の注文書を記憶する注文書記憶手段１１と、仕入先端末２００から、注文書の送信要求を受け付ける注文書送信要求受付手段１２と、注文書記憶手段１１を参照して、注文書送信要求受付手段１２が受け付けた要求に応じた試作品の注文書を読み出す注文書読出手段１３と、注文書読出手段１３が読み出した注文書を仕入先端末２００に送信する注文書送信手段１４とを備える。上記試作品の注文書は、当該試作品に関する試作品図面データとの関連付けが設定されている。
【００１８】
ここで、上述した試作品の注文書は、当該試作品を納入するための納期条件を含むものであり、試作注文処理システム１００は、図１に示すように、さらに、上記納期条件を含む注文書を受信した仕入先端末２００から当該納期条件に対する納期回答を受け付ける納期回答受付手段１５と、上記納期条件を参照して、納期回答受付手段１５が受け付けた納期回答が当該納期条件と適合するかを判定する納期条件適合性判定手段１６と、納期条件適合性判定手段１６における判定の結果を注文者側端末３００に連絡する判定結果連絡手段１７とを備える。
【００１９】
試作注文処理システム１００の機能を詳述する。図１に示すように、試作注文処理システム１００は、試作品を掲載した目録を記憶する試作品掲載目録記憶手段１８と、試作品図面データを記憶する試作品図面データ記憶手段１９と、上記目録に掲載された試作品が、試作品図面データ記憶手段１９が記憶する試作品図面データに係る試作品と一致するかを照合する試作品承認手段２０と、試作品承認手段２０における照合が一致したことを条件に、上記目録に掲載された試作品の注文書を注文書記憶手段１１に登録する試作注文許可手段２１とを備える。試作注文許可手段２１は、上記試作品の注文書を登録するに際し、試作品図面データ記憶手段１９を参照して、上記試作品の注文書に、当該試作品に関する上記試作品図面データとの関連付けを設定する図面データ設定機能を備える。
【００２０】
上述の試作注文処理システム１００を実現するための全体的なシステム構成を図２に示す。図２に示すように、試作注文処理システム１００は、中継システム５００と、中継システム６００と、インターネットとを介して仕入先端末２００と接続している。試作注文処理システム１００は、注文書処理装置１００ａと図面データ配信装置１００ｂとから構成される。試作注文処理システム１００は、試作品の注文者側に設置されるシステムである。
【００２１】
符号３００は、注文者側端末のＰＣ（パソコン）であり、ＰＣ３００は、注文書処理装置１００ａ側のＬＡＮ（ＬＯＣＡＬ  Ａｒｅａ  Ｎｅｔｗｏｒｋ）上に接続されている。ＰＣ３００は、試作品の承認者、資材部員などの注文者が利用する。符号４００は、ＰＣ（パソコン）であり、ＰＣ４００は、図面データ配信装置１００ｂ側のＬＡＮ上に接続されている。
【００２２】
中継システム５００は、注文書処理装置１００ａ側の内部ネットワークとインターネットとを接続している。他方、中継システム６００は、図面データ配信装置１００ｂ側の内部ネットワークとインターネットとを接続している。
【００２３】
上記図２で示したシステム構成は一例であり、図２のシステム構成を利用環境に応じて自在に変更することが可能である。以下、試作注文処理システム１００、仕入先端末２００、中継システム５００、中継システム６００について、それぞれの構成を説明する。
【００２４】
〔試作注文処理システムの注文書処理装置〕
【００２５】
注文書処理装置１００ａは、図２に示すように、情報の記憶手段１０１ａと、通信手段１０２ａと、これら各手段の動作を制御する処理手段１０３ａとを備える。注文書処理装置１００ａは、例えばＨＴＴＰ（Ｈｙｐｅｒ  Ｔｅｘｔ  Ｔｒａｎｓｆｅｒ  Ｐｒｏｔｏｃｏｌ）サーバ等が該当する。以下に、上述した各手段の構成を説明する。
【００２６】
記憶手段１０１ａは、データやプログラムを保持するためのものであり、例えばＲＯＭ・ＲＡＭ、ＨＤＤ等が該当する。記憶手段１０１ａは、物理的に単一であるか複数であるかを問わない。記憶手段１０１ａは、注文書記憶手段１１と、試作品掲載目録記憶手段１８とを備える。
【００２７】
図３は、注文書記憶手段１１のデータ構造を示す図である。図３に示すように、注文書記憶手段１１は、試作品の注文書を注文書識別情報ごとに記憶する。ここでいう「試作品の注文書」は、試作品を注文するために構成されたデータであり、例えばＨＴＭＬ（Ｈｙｐｅｒｔｅｘｔ  Ｍａｒｋｕｐ  Ｌａｎｇｕａｇｅ）文書データ等が該当する。「注文書識別情報」は、注文書を読み出すための識別情報であり、例えばＵＲＬ（Ｕｎｉｆｏｒｍ  Ｒｅｓｏｕｒｃｅ  Ｌｏｃａｔｏｒｓ）などが該当する。
【００２８】
上述した「試作品の注文書」について詳述する。試作品の注文書は、図３に示したように、注文者情報、部品情報、納期条件などの各情報を構成している。注文者情報は、例えば注文者名、住所、担当者名、連絡先などが含まれている。部品情報は、部番などの部品識別情報、部品名などが含まれている。納期条件は、注文数量、納期、納入場所、単価などが含まれている。
【００２９】
図４は、試作品掲載目録記憶手段１８のツリー構造を示す図である。試作品掲載目録記憶手段１８は、試作品を掲載した目録を記憶する。
【００３０】
ここでいう「目録」は、注文を予定している試作品を書き並べたものである。この目録に掲載の試作品は、親部品と子部品とから構成されるものであり、試作品掲載目録記憶手段１８は、上記試作品の親子部品分類のツリー構造としている（図４を参照）。試作品掲載目録記憶手段１８が記憶する目録に掲載の試作品を構成する各親・子部品は、各部品識別情報と関連付けられている。部品識別情報は、例えば部番、部コードなどが該当する。
【００３１】
図２に戻り、通信手段１０２ａは、情報の送受信をするためのものであり、例えばＮＩＣ（Ｎｅｔｗｏｒｋ  Ｉｎｔｅｒｆａｃｅ  Ｃａｒｄ）等の入出力インターフェースが該当する。
【００３２】
処理手段１０３ａは、注文書処理装置１００ａ全体の動作を制御するためのものであり、例えばＣＰＵが該当する。図１に示した注文書送信要求受付手段１２・注文書読出手段１３・注文書送信手段１４は、この処理手段１０３ａに該当する。また、図１に示した納期回答受付手段１５・納期条件適合性判定手段１６・判定結果連絡手段１７も処理手段１０３ａに該当する。さらに、図１に示した試作品承認手段２０・試作注文許可手段２１も処理手段１０３ａに該当する。
【００３３】
図２では、処理手段１０３ａは一つとしているが、複数組み合わせることにより、分散処理をする構成としてもよい。
【００３４】
〔試作注文処理システムの図面データ配信装置〕
【００３５】
図２に示すように、図面データ配信装置１００ｂは、情報の記憶手段１０１ｂと、通信手段１０２ｂと、これら各手段の動作を制御する処理手段１０３ｂとを備える。図面データ配信装置１００ｂは、例えばＨＴＴＰ（Ｈｙｐｅｒ  Ｔｅｘｔ  ＴｒａｎｓｆｅｒＰｒｏｔｏｃｏｌ）を実装した配信サーバ等が該当する。以下、上述の各手段について説明する。
【００３６】
記憶手段１０１ｂは、例えばＲＯＭ・ＲＡＭ、ＨＤＤ等が該当し、上述の記憶手段１０１ａと同様である。記憶手段１０１ｂは、試作品図面データ記憶手段１９を備える。
【００３７】
試作品図面データ記憶手段１９は、試作品に関する試作品図面データを記憶する。ここでいう「試作品図面データ」は、試作品を制作するための図面データであり、複数の異なるファイル形式を有する。
【００３８】
たとえば、ファイル形式は、ＣＡＤ独自の形式、ＩＧＥＳ（Ｉｎｉｔｉａｌ  Ｇｒａｐｈｉｃｓ  Ｅｘｃｈａｎｇｅ  Ｓｐｅｃｉｆｉｃａｔｉｏｎ）、Ｐａｒａｓｏｌｉｄ（登録商標）（パラソリッド）などの形式が想定される。Ｐａｒａｓｏｌｉｄ（登録商標）は、Ｕｎｉｇｒａｐｈｉｃｓ  Ｓｏｌｕｔｉｏｎ  Ｉｎｃ．の登録商標です。
【００３９】
また、試作品図面データは、例えばＰＤＦ（登録商標）（Ｐｏｒｔａｂｌｅ  Ｄｏｃｕｍｅｎｔ  Ｆｏｒｍａｔ）形式、ＤＸＦ（Ｄａｔａ  ｅｘｃｈａｎｇｅ  Ｆｏｒｍａｔ）形式も想定される。ＰＤＦ（登録商標）は、Ａｄｏｂｅ社の登録商標です。
【００４０】
試作品図面データ記憶手段１９が記憶する試作品図面データは、当該試作品図面データに係る試作品の部品識別情報（例えば部番など）と関連付けられている。尚、試作品図面データは、例えば２次元データや３次元データである。
【００４１】
通信手段１０２ｂは、情報の送受信をするためのものであり、例えばＮＩＣ（Ｎｅｔｗｏｒｋ  Ｉｎｔｅｒｆａｃｅ  Ｃａｒｄ）等の入出力インターフェースが該当する。
【００４２】
処理手段１０３ｂは、図面データ配信装置１００ｂ全体の動作を制御するためのものであり、例えばＣＰＵが該当する。図２では、処理手段１０３ｂは一つとしているが、複数組み合わせることにより、分散処理をする構成としてもよい。
【００４３】
〔仕入先端末〕
【００４４】
図２に示すように、仕入先端末２００は、情報の入力手段２０１、情報の表示手段２０２、情報の記憶手段２０３、試作注文処理システム１００との通信手段２０４およびこれら各手段の動作を制御する処理手段２０５を備える。仕入先端末２００は、試作業者などの仕入れ先に設置される。仕入先端末２００としては、例えばブラウザを実装したパソコン、携帯電話、携帯情報端末（ＰＤＡ）等がある。上記各手段の構成は次のとおりである。
【００４５】
入力手段２０１は、情報を入力するためのものであり、例えばキーボード、マウス、ジョグシャトルが該当する。表示手段２０２は、情報を表示するためのものであり、例えばディスプレイ装置が該当する。記憶手段２０３は、データやプログラムを保持するためのものであり、例えばＲＯＭ・ＲＡＭ、ＨＤＤが該当する。通信手段２０４は、情報を送受信するためのものであり、例えばモデムが該当する。処理手段２０５は、仕入先端末２００全体の動作を制御するためのものであり、例えばＣＰＵが該当する。
【００４６】
〔中継システム〕
【００４７】
図２に示す中継システム５００は、例えばキャッシュサーバ等が該当し、インターネット上の情報を複製する。中継システム５００は、ＨＤＤ等の情報の記憶手段と、入出力インターフェース等の通信手段と、ＣＰＵ等の処理手段とを備える。図２に示す中継システム６００も、中継システム５００と同様である。
【００４８】
次に、本実施形態における動作を図５乃至図９に基づいて説明する。以下、試作注文の許可処理、試作注文処理、納期回答処理に関する場合を例にして説明する。尚、図２のシステム形態では、中継システム５００、中継システム６００の２台の中継システムを設置する場合を例にして説明したが、ここではこれら各中継システムの処理を省略して説明する。
【００４９】
〔試作注文の許可処理〕
【００５０】
図５は、試作注文処理システム１００の処理であって、試作注文の許可処理を示すフローチャートである。
【００５１】
この処理では、試作品掲載目録を予め記憶した注文書処理装置１００ａと試作品図面データを予め記憶した図面データ配信装置１００ｂとの間で、以下に示す手順で処理を行う。
【００５２】
注文書処理装置１００ａの試作品承認手段２０（処理手段１０３ａ）は、所定のタイミングで、試作品掲載目録記憶手段１８の目録に掲載された試作品が、図面データ配信装置１００ｂの試作品図面データ記憶手段１９が記憶する試作品図面データに係る試作品と一致するかを照合する（ｓ１１）。
【００５３】
ｓ１１について詳述する。試作品掲載目録手段１８の目録に掲載された試作品は、当該試作品を識別するための部品識別情報を含むものであり、試作品図面データ記憶手段１９が記憶する試作品図面データは、当該試作品図面データに係る試作品を識別するための部品識別情報に関連付けられているものである。試作品承認手段２０は、上述の照合をするに際し、上記双方の部品識別情報が一致するかを照合する。
【００５４】
注文書処理装置１００ａの試作注文許可手段２１（処理手段１０３ａ）は、試作品承認手段２０における照合が一致したことを条件に、上記目録に掲載された試作品の注文書を注文書記憶手段１１の所定領域に登録する（ｓ１２）。ここでいう「照合が一致した」とは、上述した双方の部品識別情報が一致したことを意味する。
【００５５】
ｓ１２について詳述する。試作注文許可手段２１は、上記目録に掲載された試作品の注文書を登録するに際し、試作品図面データ記憶手段２０を参照して、上記試作品の注文書に、当該試作品に関する試作品図面データとの関連付けを設定する。ここでいう「関連付けを設定する」というのは、上記試作品図面データを図面データ配信装置１００ｂに配信させるためのデータを設定するという意味である。例えば、リンクの設定、ダウンロードの設定が想定される。
【００５６】
このように、試作注文の許可処理が実行されると、例えば資材部員は試作品の注文書をＰＣ３００上で閲覧することが可能となる。そしてその後、試作品の注文処理が次のようにおこなわれる。
【００５７】
〔試作注文処理〕
【００５８】
図６は、注文書処理装置１００ａと図面データ配信装置１００ｂと仕入先端末２００との処理であって、試作品の注文処理を示すフローチャートである。
【００５９】
この処理では、注文書記憶手段１１が記憶する特定注文書とリンクが張られた受注メールを仕入先端末２００が注文書処理装置１００ａから受信したことを前提として、以下に示す手順で処理がおこなわれる。
【００６０】
注文書処理装置１００ａの注文書送信要求受付手段１２（処理手段１０３ａ）は、仕入先端末２００から、試作品の注文書の送信要求を受け付ける（ｓ２１）。例えば、注文書の送信要求を仕入先端末２００から注文書送信要求受付手段１２が受け付けたのは、仕入先端末２００が受信した受注メールに掲載されたＵＲＬ（ｕｎｉｆｏｒｍ  Ｒｅｓｏｕｒｃｅ  Ｌｏｃａｔｏｒ）に当該仕入先端末２００がアクセスしたからである。
【００６１】
ｓ２１について詳述する。注文書送信要求受付手段１２は、上記注文書の送信要求を受け付けるに際し、仕入先端末２００から受信した仕入先識別情報が、記憶手段１０１ａの所定領域に記憶した仕入先識別情報と一致したことを条件として、上記注文書の指定を受け付ける。仕入先識別情報は、例えばユーザ名やパスワードである。
【００６２】
ｓ２１の要求を受けて、注文書特定手段１３（処理手段１０３ａ）は、注文書記憶手段１１を参照して、注文書送信要求受付手段１２が受け付けた要求に応じた試作品の注文書を読み出す（ｓ２２）。
【００６３】
そして注文書送信手段１４（処理手段１０３ａ）は、注文書読出手段１３が読み出した注文書を仕入先端末２００に送信する（ｓ２３）。ここでいう注文書は、試作品に関する試作品図面データとの関連付けが設定されている。ここでいう関連付けは、試作注文許可手段２１がｓ１２で設定した関連付けと同様である。
【００６４】
ｓ２３の送信を受けて、注文書を受信した仕入先端末２００は、当該注文書を表示手段２０２上に表示する（ｓ２４）。仕入先端末２００の表示方法は、例えばブラウザ表示である。
【００６５】
仕入先端末２００が表示した注文書の画面構成例を図７に示す。図７では、表示画面ｄ７は、注文者名などの注文者情報、部番などの部品情報、注文数量・納期などの納期条件を表示する。
【００６６】
また、表示画面ｄ７は、親部品、子部品、共通・汎用部品の３つの部番情報を図面情報として表示する。これら各部品情報は、当該各部番情報に係る各部品に関する試作品図面データとの関連付けが設定されている。
【００６７】
さらに、表示画面ｄ７は、受領確認ボタンｄ７１、納期回答欄ｄ７２などを表示する。受領確認ボタンｄ７１は、仕入先が、注文書を受信した旨を知らせるための確認ボタンである。納期回答欄ｄ７２については後述の図９で説明する。
【００６８】
その後、仕入先端末２００が、表示手段２０２上に表示した注文書に関連付けられた試作品図面データの配信を図面データ配信装置１００ｂに要求する（ｓ２５）。ここでいう要求は、例えば、試作品図面データに係る試作品を構成する親部品、その子部品の別の要求であってもよいし、上述の親部品・子部品すべての一括要求であってもよい。
【００６９】
ｓ２５の要求を受けて、図面データ配信装置１００ｂの処理手段１０３ｂは、当該要求を受けた試作品図面データを試作品図面データ記憶手段１９から読み出し、当該試作品図面データを仕入先端末２００に転送する（ｓ２６）。図面データ配信装置１００ｂが転送した試作品図面データは、複数のファイル形式を有する。複数のファイル形式は、例えばＣＡＤ独自の形式、ＩＧＥＳ（Ｉｎｉｔｉａｌ  Ｇｒａｐｈｉｃｓ  Ｅｘｃｈａｎｇｅ  Ｓｐｅｃｉｆｉｃａｔｉｏｎ）、Ｐａｒａｓｏｌｉｄ（登録商標）（パラソリッド）、ＰＤＦ（登録商標）（Ｐｏｒｔａｂｌｅ  Ｄｏｃｕｍｅｎｔ  Ｆｏｒｍａｔ）、ＤＸＦ（Ｄａｔａ  ｅｘｃｈａｎｇｅＦｏｒｍａｔ）である。これによると、仕入先端末２００の動作環境に応じた特定ファイル形式の試作品図面データを仕入先で選択することが可能となる。このようにして試作品の注文処理がおこなわれる。
【００７０】
〔納期回答処理〕
【００７１】
図８は、注文書処理装置１００ａ、仕入先端末２００および注文者側端末３００の処理であって、試作品に関する納期回答の処理を示すフローチャートである。この処理では、ｓ２１からｓ２６までの処理がおこなわれたことを前提として、以下に示す手順で処理がおこなわれる。
【００７２】
注文書処理装置１００ａの納期回答受付手段１５（処理手段１０３ａ）は、上記ｓ２３により、納期条件を含む注文書を受信した仕入先端末２００から、当該納期条件に対する納期回答を受け付ける（ｓ３１）。
【００７３】
ここで納期回答受付手段１５が納期回答を受け付ける方法は、例えば、図７に示した表示画面ｄ７に構成された納期回答欄ｄ７２を用いる方法を採用する。納期回答欄ｄ７２には、図７に示したように、試作品の納期を入力するための納期入力欄ｄ７３と、その納期入力欄ｄ７３中の納期に納入する試作品の数量を入力するための数量入力欄ｄ７４が含まれている。仕入先端末２００は、入力手段２０１を介して、納期入力欄ｄ７３および数量入力欄ｄ７４に所定の時期および所定の数量を入力する。
【００７４】
納期条件適合性判定手段１６（処理手段１０３ａ）は、注文書記憶手段１１が記憶する納期条件を参照して、納期回答受付手段１５が受け付けた納期回答が当該納期回答に対応する納期条件と適合するかを判定する（ｓ３２）。
【００７５】
判定結果連絡手段１７（処理手段１０３ａ）は、納期条件適合性判定手段１６における判定の結果を注文者側端末３００に連絡する（ｓ３３）。判定結果連絡手段１７が判定の結果を連絡する方法としては、例えばメール、ファクシミリなどの連絡手段を用いる方法がある。
【００７６】
ｓ３１からｓ３３までの処理について詳述する。
【００７７】
上述した注文書記憶手段１１が記憶する納期条件には、試作品の納期とその納期に納入する注文数量とが含まれるものであり、上述した納期回答受付手段１５が受け付ける納期回答には、上記納期条件の納期内に納入可能な試作品の納入数量が分納時期ごとに含まれるものである。
【００７８】
この場合、納期条件適合性判定手段１６は、納期回答受付手段１５が上記納入数量を上記分納時期ごとに受け付けると、各分納時期の納入数量と納期条件の注文数量とに基づき、試作品の注文残数を算出する。たとえば、納期条件の注文数量が３０で、各分納時期の納入数量が総数で２０の場合、納期条件適合性判定手段１６は注文残数を１０として算出する。
【００７９】
そして判定結果連絡手段１７は、納期条件適合性判定手段１６が算出した注文残数があるごとに、当該各注文残数と、各注文残数分の試作品を納入する時期を入力するための各入力欄とを仕入先端末２００に出力する。判定結果連絡手段１７が出力する方法としては、例えばＨＴＴＰ（ｈｙｐｅｒｔｅｘｔ  ｔｒａｎｓｆｅｒ  ｐｒｏｔｏｃｏｌ）を用いる方法を採用する。
【００８０】
このようにすると仕入先では試作品の分納が可能になる。
【００８１】
図９は、注文残数を仕入先端末に連絡する手法を説明するための図である。図９に示した表示画面は、図７の表示画面ｄ７に構成された納期回答欄ｄ７２を説明上拡大したものである。
【００８２】
図９の納期回答欄ｄ７２には、納期入力欄ｄ７３，ｄ７５，ｄ７７の３つの納期入力欄と、数量入力欄ｄ７４とが構成されている。
【００８３】
第１の納期入力欄ｄ７３は、試作品を納入する納期を仕入先端末２００が入力するための欄であり、数量入力欄ｄ７４は、納期入力欄ｄ７３中の納期に納入可能な試作品の数量を仕入先端末２００が入力するための欄である。
【００８４】
符号ｄ７６は、第１の注文残数表示欄であり、第１の注文残数表示欄ｄ７６には、数量入力欄ｄ７４中の納入数量と、上述した納期条件の注文数量とに基づき注文書処理装置１００ａが算出した注文残数が表示される。この第１の注文残数表示欄ｄ７６中の注文残数分についての納入がいつになるのかを第２の納期入力欄ｄ７５に仕入先端末２００が入力する。これにより、試作品の納入内容を注文者は確認することが可能となる。したがって、設計部員などの注文者は、試作品を比較的短期間で制作できるよう対処することが可能となる。
【００８５】
尚、図９において、符号ｄ７７は、第３の納期入力欄であり、符号７８は、第２の注文残数表示欄である。第３の納期入力欄ｄ７７および第２の注文残数表示欄ｄ７８は、上述した第２の納期入力欄ｄ７５および第１の注文残数表示欄ｄ７６と同様の役割を果たすためのものである。
【００８６】
このようにして、試作品に関する納期回答の処理がおこなわれることとなる。
【００８７】
以上説明した実施形態によると、注文書処理装置１００ａが次のような処理をおこなう。すなわち、注文書送信要求受付手段１２が、仕入先端末２００から、注文書の送信要求を受け付け、注文書送信手段１４が、注文書読出手段１３に読み出された注文書を仕入先端末２００に送信する。しかも試作品の注文書は、当該試作品に関する試作品図面データとの関連付けが設定されている。
【００８８】
従って、仕入先では、試作品の注文書とその試作品に関する試作品図面データとを同時期に入手することができるので、従来に比べ、比較的早い段階から試作品の制作に着手することができる。
【００８９】
また注文書と試作品図面データとを仕入先が同時期に入手することができることとなるので、仕入先では、試作品の制作業務の効率を高めることができる。
【００９０】
本発明は上記実施形態に限られない。上記実施形態は一例を示すものであって、本発明の権利範囲がこれに限定されるものではない。当業者において通常用いられる代替手段の採用が可能である。
【００９１】
上記実施形態では、試作注文処理システム１００を、注文書処理装置１００ａと図面データ配信装置１００ｂの２台のサーバ装置で構成したが、例えば１台のサーバ装置で試作注文処理システム１００を構成してもよい。また、図１のシステム構成は、インターネットを用いた場合で説明したが、ＷＡＮ（Ｗｉｄｅ  Ａｒｅａ  Ｎｅｔｗｏｒｋ）等の通信ネットワークを用いて構築するようにしてもよい。
【００９２】
【発明の効果】
以上説明したように構成され機能するので、本発明によると、試作品に関する試作品図面データを当該試作品の注文書に関連付けて試作注文処理システムが取り扱うことにより、試作品の注文処理を円滑に行える環境を提供することができるという従来にない試作注文処理システムを提供することができる。
【図面の簡単な説明】
【図１】試作注文処理システムの機能ブロック図である。
【図２】試作注文処理システムを実現するための全体的な構成図である。
【図３】図２に示した注文書記憶手段のデータ構造を示す図である。
【図４】図２に示した試作品掲載目録記憶手段のツリー構造を示す図である。
【図５】試作注文処理システムの処理であって、試作注文の許可処理を示すフローチャートである。
【図６】注文書処理装置と図面データ配信装置と仕入先端末との処理であって試作品の注文処理を示すフローチャートである。
【図７】仕入先端末が表示した注文書の画面構成例である。
【図８】注文書処理装置、仕入先端末および注文者側端末の処理であって、試作品に関する納期回答の処理を示すフローチャートである。
【図９】注文残数を仕入先端末に連絡する手法を説明するための図である。
【符号の説明】
１１  注文書記憶手段
１２  注文書送信要求受付手段
１３  注文書読出手段
１４  注文書送信手段
１５  納期回答受付手段
１６  納期条件適合性判定手段
１７  判定結果連絡手段
１８  試作品掲載目録手段
１９  試作品図面データ記憶手段
２０  試作品承認手段
２１  試作注文許可手段
１００  試作注文処理システム
１００ａ  注文書処理装置
１００ｂ  図面データ配信装置
２００  仕入先端末
３００  注文者側端末
【図１】
2004152220.tif 000003
【図２】
2004152220.tif 000004
【図３】
2004152220.tif 000005
【図４】
2004152220.tif 000006
【図５】
2004152220.tif 000007
【図６】
2004152220.tif 000008
【図７】
2004152220.tif 000009
【図８】
2004152220.tif 000010
【図９】
2004152220.tif 000011